(57)【要約】【課題】音声信号等を外部入力又は外部出力するためのプラグが着脱自在に接続されるジャックを備えた携帯端末のメンテナンス性を向上させる。【解決手段】ジャック２０にプラグ３０を挿嵌接続するため、携帯端末１０の筐体に形成されたプラグ挿嵌口１４と、ジャック２０のジャック本体２１に形成されたジャック孔２２のプラグ挿嵌側開口２２ｉからとは別に、ジャック孔２２内のプラグ挿嵌部分を覗くためにジャック本体２１に形成されたジャック本体覗き口と２４、プラグ挿嵌口１４とジャック孔２２のプラグ挿嵌側開口２２ｉとを合致させて携帯端末１０の筐体内にジャック本体２１を配設した状態で、ジャック本体覗き口２４を外部から覗けるように携帯端末１０の筐体に形成されたジャック点検口１５とを備えている。【選択図】図１
2015053559.tif 000002
【特許請求の範囲】
【請求項１】
外部信号入力又は外部信号出力するためのプラグが着脱自在に挿嵌接続されるジャックを備えた携帯端末であって、
前記ジャックに前記プラグを挿嵌接続するため、前記携帯端末の筐体に形成されたプラグ挿嵌口と、
前記ジャックのジャック本体に形成されたジャック孔のプラグ挿嵌側開口からとは別に、該ジャック孔内のプラグ挿嵌部分を覗くために該ジャック本体に形成されたジャック本体覗き口と、
前記プラグ挿嵌口と前記ジャック孔のプラグ挿嵌側開口とを合致させて前記携帯端末の筐体内に前記ジャック本体を配設した状態で、前記ジャック本体覗き口を外部から覗けるように前記携帯端末の筐体に形成されたジャック点検口と
を備えていることを特徴とする携帯端末。
【請求項２】
前記ジャック本体覗き口及び前記ジャック点検口は、前記ジャック孔の軸方向に沿って並んで、又は、前記ジャック孔の軸方向と交差する方向に沿って並んで設けられていることを特徴とする請求項１に記載の携帯端末。
【請求項３】
前記ジャック本体覗き口及び前記ジャック点検口は、前記プラグ挿嵌口に対して奥部で前記ジャック孔に連通することを特徴とする請求項１又は２に記載の携帯端末。
【請求項４】
前記ジャック本体を配設し、前記ジャック本体覗き口及び前記ジャック点検口が形成された前記携帯端末の本体筐体部分は、タッチパネルを兼ねた表示画面からなる操作表示部が配置された前記携帯端末の本体筐体部分に対して変位可能、又は着脱可能になっており、前記ジャック本体覗き口及び前記ジャック点検口が、前記操作表示部が配置された本体筐体部分に対する前記ジャック点検口が形成された本体筐体部分の変位状態、又は着脱状態に応じて露出又は隠蔽される
ことを特徴とする請求項１に記載の携帯端末。 
【発明の詳細な説明】
【技術分野】
【０００１】
本発明は、音声信号等を外部入力又は外部出力するためのプラグが着脱自在に接続されるジャックを備えた携帯端末に関し、特にジャックのメンテナンス性の向上をはかった携帯端末に関する。
【背景技術】
【０００２】
一般にスマートフォンのような携帯端末には、音声信号等を外部出力又は外部入力するためのコネクタとして、例えばＴＲＳプラグ（３極）のような多極単頭プラグが着脱自在な多極ジャックが備えられている。
【０００３】
図９は、従来の携帯端末の一実施例としての多極ジャックを備えたスマートフォンの構成図である。図９(ａ)はスマートフォンの正面図、図９(ｂ)は右側面図、図９(ｃ)は左側面図、図９(ｄ)は背面図、図９(ｅ)は平面図をそれぞれ示す。
【０００４】
図示の例では、携帯端末１１０としてのスマートフォン１１１は、正面にタッチパネルを兼ねた表示画面からなる操作表示部１１３が配置された、小形薄型直方体形状の端末本体１１２を有する。そして、操作表示部１１３が配置された正面側から端末本体１１２を眺めて、高さ方向上方の端末本体上面には、図９(ｅ)に表れているように、プラグ挿嵌口１１４が開口している。端末本体１１２の筐体内部には、ジャック本体１２１に形成されたジャック孔１２２の挿嵌側開口１２２ｉをこのプラグ挿嵌口１１４に適合させて、ジャック孔１２２の孔軸が端末本体１１２の高さ方向に沿って延びるようにして、ジャック１２０が、図９(ａ)，(ｃ)，(ｄ)において点線で示すように配設されている。
【０００５】
一方、プラグ１３０は、図９(ｄ)において、スマートフォン１１１の背面（裏面）と一緒に記載したように、多極単頭プラグからなり、挿嵌部１３１と掴持部１３２とを有する構成になっている。挿嵌部１３１は、複数の電極（例えば、ＴＲＳプラグでは、先端部分の「Tip」、中間部分の「Ring」、基端部分の「Sleeve」の３電極）１３３を、電極同士を互いに絶縁するための絶縁カラー１３４を介在させて、軸長方向に沿って並べて配置した多段円筒形状の外観構成を有する。そして、挿嵌部１３１における電極１３３及び/又は絶縁カラー１３４の少なくとも一部の外表面部分は、各電極１３３が後述するジャック１２０の所定の導電リードと当接してプラグ１３０がジャック１２０に装着された際の、プラグ抜け防止部１３５を形成する。一方、掴持部１３２は、樹脂等の絶縁性材料から構成されたケース内に、挿嵌部１３１の各電極１３３の接続片部（図示せず）を収容し、多芯ケーブル１３６のそれぞれ対応する信号線（図示せず）が接続された構成になっている。
【０００６】
これに対し、ジャック１２０は、図９では図示省略するが、ジャック孔１２２が形成されたジャック本体１２１に、ジャック孔１２２の孔内に挿嵌されたプラグ１３０の対応する電極１３３に当接する信号引出端子の金属製の導電リードが、それぞれ孔軸方向に沿ったプラグとの当接位置を互いに異ならせて、孔内に臨ませて設けられている。そして、少なくとも一部の信号引出端子の導電リードは、ばね性を有して形成され、プラグ１３０の対応する電極１３３と弾性的に係合当接するようになっている。このような信号引出端子の一部のばね性を有して形成された導電リードは、プラグ１３０の対応する電極１３３に当接した状態で、挿嵌部１３１の外表部分のプラグ抜け防止部１３５とも弾性的に係合し、ジャック孔１２２内にプラグ１３０を着脱自在に固定保持するプラグ保持部を兼ねるようになっている。
【０００７】
ところで、この種のスマートフォン１１１のようなジャック１２０を備えた携帯端末１１０においては、プラグ１３０が接続されていない状態の端末本体１１２に開放されたプラグ挿嵌口１１４からジャック１２０のジャック孔１２２に塵埃等が入り込むのを防止するため、ジャック１２０からプラグ１３０が取り外されているジャック非使用時には、特許文献１に記載されているように、ジャックカバーをプラグ代わりにジャック１２０に挿嵌して、プラグ挿嵌口１１４を閉塞するようにしていた。そして、このジャックカバーには、特許文献２に示すように、ジャック１２０に挿嵌した状態でプラグ挿嵌口１１４から外部に現れた部分にキャラクタやオブジェ等の装飾を施し、携帯端末１１０のアクセサリを兼ねたものが使用されていた。
【０００８】
図１０は、一般的なアクセサリを兼ねたジャックカバーの使用説明図である。図１０(ｄ-１)，(ｅ-１)は、ジャックカバーが装着されていない状態の携帯端末の背面図及び平面図であり、図１０(ｄ-２)，(ｅ-２)は、ジャックカバーが装着された状態の携帯端末の背面図及び平面図である。
【０００９】
アクセサリを兼ねたジャックカバー１４０は、図１０(ｄ-１)において、ジャックカバー１４０が装着されていない状態の携帯端末１１０（スマートフォン１１１）に一緒に示したように、通常、ジャック１２０のジャック孔１２２に挿嵌される挿嵌部１４１と、ジャック１２０に挿嵌した状態でプラグ挿嵌口１１４から携帯端末１１０の外部に突出して現れる装飾部１４２とを有する構成になっている。図示の例では、ジャックカバー１４０は、図９において示したプラグ１３０の挿嵌部１３１のプラグ抜け防止部１３５と同様なカバー抜け防止部１４５を含む外観構成の挿嵌部１４１と、キャラクタが描かれた円盤状の装飾部１４２とが、プラスチック樹脂等の絶縁性材料によって一体的に形成された構造になっている。また、装飾部１４２は、ジャックカバー１４０をジャック１２０に着脱する際のジャックカバー１４０の掴持部を兼ねるようになっている。
【００１０】
携帯端末１１０のユーザの間では、このアクセサリを兼ねたジャックカバー１４０は、ジャック孔１２２に塵埃等が入り込むのを防止するためだけではなく、ユーザ自身の携帯端末１１０を他のユーザの携帯端末１１０に対してカスタマイズ化するために、広く利用されている。
【先行技術文献】
【特許文献】
【００１１】
【特許文献１】特開２０１３−８５１３８号公報
【特許文献２】実登３０８８４９６号公報
【発明の概要】
【発明が解決しようとする課題】
【００１２】
通常、ジャックカバー１４０は、挿嵌部１４１と装飾部１４２とが一体成型されており、挿嵌部１４１は、ジャックカバー１４０がジャック孔１２２に挿嵌された状態で保持されるようにカバー抜け防止部１４５を有する外観形状になっている。
【００１３】
そのため、ユーザがプラグ１３０を利用したりジャックカバー１４０を交換するために取り外す際や、携帯端末１１０を携行する際に、図示の例では、プラグ挿嵌口１１４が形成された端末本体上面から突出した装飾部１４２に、挿嵌部１４１の軸方向と交差する方向、すなわちジャック１２０のジャック孔１２２の孔軸方向と交差する方向に外力が作用すると、挿嵌部１４１と装飾部１４２との境界部分や挿嵌部１４１の途中でジャックカバー１４０が折損してしまう。その際、ジャックカバー１４０の挿嵌部１４１の全部又は一部が、ジャック孔１２２に挿嵌された状態のまま、ジャック孔１２２内に取り残されてしまうことが起きる。
【００１４】
図１１は、ジャック孔に挿嵌されたジャックカバーが折損した場合の説明図である。図１１(ｄ-１)，(ｅ-１)は、ジャックカバーが折損する前の装着状態の携帯端末の背面図及び平面図であり、図１１(ｄ-２)，(ｅ-２)は、ジャックカバーが折損した状態の携帯端末の背面図及び平面図である。
【００１５】
その結果、ジャックカバー１４０は、図１１に示すように、折損により端末本体上面から突出したジャックカバー１４０の掴持部を兼ねた装飾部１４２が無くなってしまうため、ジャック孔１２２内に挿嵌された状態のまま取り残されてしまった挿嵌部１４１の全部又は一部を、プラグ挿嵌口１１４を介してジャック孔１２２から取り出せなくなってしまい、プラグ１３０を利用できなくなる問題が生じる。
【００１６】
また、ジャック孔１２２内に取り残されてしまったジャックカバー１４０の挿嵌部１４１をユーザが無理に取り出そうとすると、ジャック１２０の導電リード等を損傷させてしまったり、取り残された挿嵌部１４１の取り出しを修理業者に依頼すると、修理の間、ユーザは携帯端末１１０を使用することができなくなる、等の問題も生じる。
【００１７】
本発明は、このようなジャックカバー１４０を使用する際の問題点を鑑み、ジャックのメンテナンス性の向上をはかった携帯端末を提供することを目的とする。
【課題を解決するための手段】
【００１８】
本発明は、上述した課題を解決するため、外部信号入力又は外部信号出力するためのプラグが着脱自在に挿嵌接続されるジャックを備えた携帯端末であって、ジャックにプラグを挿嵌接続するため、携帯端末の筐体に形成されたプラグ挿嵌口と、ジャックのジャック本体に形成されたジャック孔のプラグ挿嵌側開口からとは別に、ジャック孔内のプラグ挿嵌部分を覗くためにジャック本体に形成されたジャック本体覗き口と、プラグ挿嵌口とジャック孔のプラグ挿嵌側開口とを合致させて携帯端末の筐体内にジャック本体を配設した状態で、ジャック本体覗き口を外部から覗けるように携帯端末の筐体に形成されたジャック点検口とを備えていることを特徴とする。
【発明の効果】
【００１９】
本発明によれば、プラグ挿嵌口からジャックのジャック孔に挿嵌したジャックカバーが、掴持部を兼ねた装飾部の折損によって、挿嵌部の全部又は一部がジャック孔に挿嵌された状態のまま、ジャック孔内に取り残されてしまった場合であっても、ジャック本体覗き口及びジャック点検口を介して、ジャック孔内のプラグ挿嵌部分をプラグ挿嵌口からとは別方向から覗くことができる。
【００２０】
これにより、ジャック本体覗き口及びジャック点検口を介して、ジャック孔内に取り残されてしまったジャックカバーの挿嵌部をプラグ挿嵌口からとは別に観察することができ、また、ジャック孔内に取り残されたジャックカバーの挿嵌部に取り出し用具をプラグ挿嵌口とは別方向から作用させることができる。
【００２１】
これにより、取り残されたジャックカバーの挿嵌部に、取り出し用具を使用して引き出し方向ではなく押し出し方向の力を作用させることが可能になるので、従来のプラグ挿嵌口を介して取り出し用具により引き出す場合よりも容易にジャック孔内から取り出すことができ、ジャックの導電リード等を損傷させてしまうことも防げる。
【００２２】
加えて、ジャック本体覗き口及びジャック点検口をプラグ挿嵌口に対して奥部でジャック孔に連通する構成にしておけば、ユーザがジャックの非使用時にジャックカバーの装着を忘れてしまったような場合であっても、ジャック本体覗き口及びジャック点検口、又はプラグ挿嵌口からのエアーブローによってジャック孔内の塵埃を取り除くことも可能になる。
【００２３】
この結果、音声信号等を外部入力又は外部出力するためのプラグが着脱自在に接続されるジャックを備えた携帯端末のメンテナンス性を向上させることができる。
【図面の簡単な説明】
【００２４】
【図１】本発明に係る携帯端末の第１の実施の形態としての、多極ジャックを備えたスマートフォンの構成図である。
【図２】ジャック、及びジャックに着脱自在に挿嵌接続されるプラグの説明図である。
【図３】第２の実施の形態としての、多極ジャックを備えたスマートフォンの構成図である。
【図４】第３の実施の形態としての、多極ジャックを備えたスマートフォンの構成図である。
【図５】第４の実施の形態としての、多極ジャックを備えたスマートフォンの構成図である。
【図６】第４の実施の形態に係るスマートフォンのジャックメンテナンス時の説明図である。
【図７】第５の実施の形態としての、多極ジャックを備えたスマートフォンの構成図である。
【図８】図７に示したスマートフォンのさらなる利用方法の説明図である。
【図９】従来の携帯端末の一実施例としての多極ジャックを備えたスマートフォンの構成図である。
【図１０】一般的なアクセサリを兼ねたジャックカバーの使用説明図である。
【図１１】ジャック孔に挿嵌されたジャックカバーが折損した場合の説明図である。
【発明を実施するための形態】
【００２５】
以下、本発明に係る携帯端末の実施の形態について、図面を基に説明する。なお、説明に当たっては、携帯端末としてスマートフォンに適用した場合を例に説明するが、本発明に係る携帯端末は、スマートフォンに限るものではなく、例えばタブレット型コンピュータのような携帯情報端末機器、携帯型ゲーム機、携帯型音楽プレイヤー等、音声信号等を外部入力又は外部出力するためのプラグが着脱自在に接続されるジャックを備えた携帯端末であればよい。
【００２６】
また、説明に当たって、異なる実施の形態であっても、実施の形態毎のスマートフォン（携帯端末）の同一若しくは同様な構成部分については同一符号を付し、後述の実施の形態の説明では重複する構成部分の説明は省略する。
【００２７】
＜第１の実施の形態＞
図１は、本発明に係る携帯端末の第１の実施の形態としての、多極ジャックを備えたスマートフォンの構成図である。図１(ａ)は本実施の形態に係るスマートフォンの正面図、図１(ｂ)は右側面図、図１(ｃ)は左側面図、図１(ｄ)は背面図、図１(ｅ)は平面図をそれぞれ示す。
【００２８】
図示の例では、携帯端末１０としてのスマートフォン１１は、正面にタッチパネルを兼ねた表示画面からなる操作表示部１３が配置された、薄型小形直方体形状の端末本体１２を有する。そして、操作表示部１３が配置された正面側から端末本体１２を眺めて、高さ方向上方の端末本体上面は、図１(ｅ)に表れているように、操作表示部１３の表示画面に沿った携帯端末１０の幅方向の一方側に寄せて、プラグ挿嵌口１４が開口している。なお、図示の例では、端末本体上面は、後述するジャック２０の配置との関係から、図１(ｂ)，図１(ｃ)に表れているように、端末本体１２を直立させた状態で、背面側から正面側へ下り傾斜面になっている。
【００２９】
端末本体１２の筐体内部には、ジャック本体２１に形成されたジャック孔２２の挿嵌側開口２２ｉをこのプラグ挿嵌口１４に適合させて、ジャック２０が配設されている。
【００３０】
図２は、ジャック、及びジャックに着脱自在に挿嵌接続されるプラグの説明図である。図２(ａ)はジャックの一実施例としてのＴＲＳプラグ用ジャックの外観斜視図、図２(ｂ)は図２(ａ)に示したジャックとプラグの関係図、図２(ｃ)はジャックの回路図をそれぞれ示す。加えて、図２(ｅ)，(ｆ)は図２(ａ)に示したジャックの、外観構成が異なる別の実施例である。
【００３１】
図示の例では、ジャック２０に挿嵌接続されるプラグ３０は、図２(ｂ)に示すような、挿嵌部３１と掴持部３２とを備えた多極単頭プラグのＴＲＳプラグであり、挿嵌部３１には、基部（掴持部３２側）から先端側へ、「Sleeve」電極３３ｓ，「Ring」電極３３ｒ，「Tip」電極３３ｔが、隣り合う電極３３同士を互いに絶縁するための絶縁カラー３４を介在させて、軸長方向に沿って並べて配置されている。そして、挿嵌部３１における電極３３（３３ｓ，３３ｒ，３３ｔ）及び/又は絶縁カラー３４の少なくとも一部の外表面部分は、ジャック２０の所定の導電リードと係合当接して、プラグ３０がジャック２０に装着された際のプラグ抜け防止部３５を形成する。掴持部３２は、樹脂等の絶縁性材料から構成されたケース内に、挿嵌部３１の各電極３３の接続片部（図示せず）を収容し、多芯ケーブル３６のそれぞれ対応する信号線（図示しない、「Sleeve」信号線，「Ring」信号線、「Tip」信号線）が接続された構成になっている。
【００３２】
これに対し、ジャック２０は、プラグ３０が挿嵌されるジャック孔２２が形成されたジャック本体２１には、プラグ３０の挿嵌部３１における先端側の「Tip」電極３３ｔ，中間部の「Ring」電極３３ｒ，基端側の「Sleeve」電極３３ｓそれぞれに対応させた、３つの信号引出端子２３（２３ｔ，２３ｒ，２３ｓ）が備えられている。
【００３３】
各信号引出端子２３は、金属製薄板により、導電リードと接続片部とを一体的に成型した構成になっており、ジャック本体２１に組み付け固定されている。図示せぬ導電リードは、ジャック孔２２内に臨ませて配置され、挿嵌されたプラグ３０の挿嵌部３１に形成された電極３３と係合当接する。各信号引出端子２３ｔ，２３ｒ，２３ｓの導電リードは、ジャック孔２２内において孔軸方向に沿ったプラグ当接位置を互いに異ならせて配置され、図示の例では、ジャック孔２２の挿嵌側開口２２ｉから奥部側へ、信号引出端子２３ｓ，２３ｒ，２３ｔの順で配置されている。その上で、プラグ３０の挿嵌部３１を規定位置までジャック孔２２内に挿嵌した状態で、「Tip」信号引出端子２３ｔの導電リードはプラグ３０の「Tip」電極３３ｔのみと、「Ring」信号引出端子２３ｒの導電リードはプラグ３０の「Ring」電極３３ｒのみと、「Sleeve」信号引出端子２３ｓの導電リードはプラグ３０の「Sleeve」電極３３ｓのみと、それぞれ弾性的に係合当接するようになっている。そして、これら信号引出端子２３ｔ，２３ｒ，２３ｓの少なくとも一部の導電リードは、ばね性を有した可撓片として形成され、プラグ３０の対応する電極３３に当接した状態で、挿嵌部３１の外表部分のプラグ抜け防止部３５とも弾性的に係合し、ジャック孔２２内にプラグ３０を着脱自在に固定保持するプラグ保持部を兼ねるようになっている。
【００３４】
ここで、ジャック２０には、ジャック本体２１に、ジャック孔２２の挿嵌側開口２２ｉとは別に、ジャック孔２２内のプラグ挿嵌部分を覗くためのジャック本体覗き口２４が形成されている。図２(ａ)，(ｂ)の例では、ジャック２０は、ジャック本体覗き口２４として、第１の覗き口２４ａと第２の覗き口２４ｂとの複数のジャック本体覗き口２４を有する構成になっている。この場合、ジャック本体２１に形成されたジャック孔２２が貫通孔になっており、ジャック孔２２の挿嵌側開口２２ｉとは反対側の非挿嵌側開口２２ｏが第１の覗き口２４ａになっている一方、ジャック本体２１の本体壁に、上述した信号引出端子２３の導電リードと重ならないように、孔軸方向に沿って所定長さを確保して開口された本体溝開口２１ｏが第２の覗き口２４ｂになっている。なお、図２(ａ)，(ｂ)の例では、ジャック２０のジャック本体覗き口２４は、他の実施の形態の説明の関係から、便宜上、複数設けられた構成としたが、後述するスマートフォン１１の端末本体１２に形成されたジャック点検口に適合させたジャック本体覗き口２４が１つあればよく、本実施の形態では、第１の覗き口２４ａがジャック本体覗き口２４に該当する。
【００３５】
その上で、本実施の形態に係るスマートフォン１１の場合、ジャック２０は、端末本体１２の筐体内部に、ジャック本体２１に形成されたジャック孔２２の挿嵌側開口２２ｉをこのプラグ挿嵌口１４に適合させて、ジャック孔２２の挿嵌側開口２２ｉ側をその奥部側すなわち第１の覗き口２４ａの非挿嵌側開口２２ｏ側よりも端末本体１２の正面側（前側）に位置させるように、端末本体１２の筐体内部にその孔軸を、高さ方向に対して、正背面の奥行（厚さ）方向で前後に適宜角度だけ傾斜させるようにして、図１(ａ)，(ｃ)，(ｄ)において点線で示すようにして配設されている。これにより、図示の例では、ジャック孔２２の孔軸は、端末本体１２の筐体背面と交差するようになっている。
【００３６】
そして、端末本体１２の筐体背面には、このように傾斜配置されたジャック本体２１の第１の覗き口２４ａである非挿嵌側開口２２ｏ（ジャック本体覗き口２４）を外部から覗けるように、ジャック点検口１５が図１(ｃ)，(ｄ)に示すように形成されている。
【００３７】
ジャック点検口１５は、端末本体１２の背面の一部を形成するテーパー状溝部１５ａを開口縁として含み、そのテーパー状溝部１５ａの拡幅側端部を形成する端末本体１２の筐体端面に形成された開口部１５ｂから、ジャック２０のジャック本体覗き口２４（ジャック孔２２の挿嵌側開口２２ｉとは反対側の非挿嵌側開口２２ｏ）が外部に臨んだ構成になっている。その際、テーパー状溝部１５ａは、ジャック本体２１のジャック孔２２の孔軸（孔軸の延長線）を中心にしたジャック孔２２の孔径とほぼ等しい直径の円弧に沿った溝断面を有し、開口部１５ｂを出たジャック孔２２の孔軸は、このテーパー状溝部１５ａの溝底の延設方向に沿って延び、端末本体１２の背面の筐体壁とは再び交差しないようになっている。これにより、端末本体１２の外部から、ジャック点検口１５及びジャック本体覗き口２４（第１の覗き口２４ａとしての非挿嵌側開口２２ｏ）を介して、直状細棒部材を、テーパー状溝部１５ａ溝底の延設方向、すなわちジャック孔２２の孔軸に沿って、挿嵌側開口２２ｉとは反対側の非挿嵌側開口２２ｏ側からジャック孔２２内に挿入することができるようになっている。
【００３８】
したがって、先に図１１で説明したように、プラグ挿嵌口１４からジャック２０のジャック孔２２に挿嵌したジャックカバー１４０（図１０参照）が、掴持部を兼ねた装飾部１４２の折損によって、挿嵌部１４１の全部又は一部がジャック孔２２に挿嵌された状態のまま、ジャック孔２２内に取り残されてしまった場合であっても、ジャック本体覗き口２４及びジャック点検口１５を介して、ジャック孔２２内に取り残されてしまったジャックカバー１４０の挿嵌部１４１に対して、プラグ挿嵌口１４からとは逆方向からジャック孔２２の孔軸方向に作用することができる。例えば、ジャック孔２２内に取り残されたジャックカバー１４０の挿嵌部１４１に、剛性を有した直状細棒部材からなる取り出し用具の端部を、プラグ挿嵌口１４とは反対側のジャック点検口１５からジャック本体覗き口２４を介して押し当てて、プラグ挿嵌口１４から押し出すことができる。
【００３９】
これにより、従来のプラグ挿嵌口１４を介して、ジャック孔２２内に取り残されたジャックカバー１４０の挿嵌部１４１を引き出す場合よりも容易に、ジャック孔２２内から挿嵌部１４１を押し出して取り出すことができ、プラグ３０の着脱側であるジャック孔２２の挿嵌側開口２２ｉから取り出すことができるので、ジャック２０のプラグ保持部を兼ねた導電リード等を損傷させてしまうことも防げる。
【００４０】
さらに、図示の例では、ジャック本体覗き口２４及びジャック点検口１５を介して、取り出し用具の端部を取り残されたジャックカバー１４０の挿嵌部１４１に押し当てる際も、ジャック点検口１５のテーパー状溝部１５ａが直状細棒部材からなる取り出し用具の案内ガイドになるので、押し当て作業も確実かつ容易になるとともに、スマートフォン１１の、操作表示部１３を中心に据えた薄型小形直方体形状の端末本体デザインも損なわないようになっている。
【００４１】
加えて、ジャック孔２２は、プラグ挿嵌口１４とジャック本体覗き口２４及びジャック点検口１５とによって貫通孔となっているので、ユーザがジャック２０の非使用時にジャックカバー１４０の装着を忘れてしまったような場合であっても、ジャック本体覗き口２４及びジャック点検口１５、又はプラグ挿嵌口１４からのエアーブローによってジャック孔２２内に溜ってしまった塵埃を取り除くことも可能になる。
【００４２】
この結果、音声信号等を外部入力又は外部出力するためのプラグ３０が着脱自在に接続されるジャック２０を備えた携帯端末１０としてのスマートフォン１１のメンテナンス性を向上させることができる。
【００４３】
＜第２の実施の形態＞
図３は、本発明に係る携帯端末の第２の実施の形態としての、多極ジャックを備えたスマートフォンの構成図である。図３(ａ)は本実施の形態に係るスマートフォンの正面図、図３(ｂ)は右側面図、図３(ｃ)は左側面図、図３(ｄ)は背面図、図３(ｅ)は平面図、図３(ｆ)は平面図をそれぞれ示す。
【００４４】
本実施の形態に係る携帯端末１０としてのスマートフォン１１は、図１に示した第１の実施の形態のスマートフォン１１のような、操作表示部１３を中心に据えた薄型小形直方体形状の端末本体デザインにとらわれず、ジャック孔２２の孔軸を、端末本体１２の高さ方向、幅方向、若しくは奥行（厚さ）方向に対して傾斜させずに、ジャック本体２１を端末本体１２の筐体内部に配設できるようにした端末本体１２の一例デザインを示したものである。
【００４５】
そのため、図示の例では、操作表示部１３が配置された正面側及び背面側から端末本体１２を眺めた形状が、操作表示部１３が配置された本体主部１２ａに対し、ジャック本体２１が配設されたジャック設置部１２ｂが端末本体１２の幅方向に突出した、端末本体１２の形状デザインになっている。
【００４６】
本実施の形態に係るスマートフォン１１によれば、ジャック孔２２の孔軸を、端末本体１２の高さ方向に沿って、操作表示部１３が配置された本体主部１２ａの面と平行にすることができ、ジャック孔２２に取り残された折損したジャックカバー１４０の挿嵌部１４１に取り出し用具の端部を押し当てて取り出す際、取り出し用具の押し当て方向と、取り出し用具を押し当てた状態での端末本体１２の引き寄せ方向が逆方向となるので、取り出し作業が行い易くなる。
【００４７】
加えて、図示した端末本体１２の形状デザインの場合は、端末本体上面に形成されたプラグ挿嵌口１４とジャック孔２２の挿嵌側開口２２ｉとの関係と同様に、端末本体１２の筐体面に形成されるジャック点検口１５をジャック孔２２の非挿嵌側開口２２ｏに近づけることができるので、ジャック孔２２に取り残された折損したジャックカバー１４０の挿嵌部１４１に取り出し用具の端部を押し当てる際も、押し当て易くなる。
【００４８】
＜第３の実施の形態＞
図４は、本発明に係る携帯端末の第３の実施の形態としての、多極ジャックを備えたスマートフォンの構成図である。図４(ａ)は本実施の形態に係るスマートフォンの正面図、図４(ｂ)は右側面図、図４(ｃ)は左側面図、図４(ｄ)は背面図、図４(ｅ)は平面図をそれぞれ示す。
【００４９】
本実施の形態に携帯端末１０としてのスマートフォン１１では、図２(ａ)，(ｂ)に示したジャック２０の第２の覗き口２４ｂのように、ジャック本体覗き口２４として、ジャック本体２１の本体壁に、信号引出端子２３の導電リードと重ならないように、孔軸方向に沿って所定長さを確保して開口された本体溝開口２１ｏを備えたジャック２０が用いられている。なお、このようなジャック本体２１に形成された本体溝開口２１ｏとしては、図２(ｅ)に示すような、ジャック本体２１の孔軸方向に沿って延びる溝であっても、また図２(ｆ)に示すような、ハーフパイプ状部分２２ｈを含むジャック本体２１のそのハーフパイプ状部分２２ｈの開放部であってもよく、図２(ａ)，(ｂ)で示した第２の覗き口２４ｂの具体的形状に限られるものではない。
【００５０】
その上で、本実施の形態に係るスマートフォン１１の場合、ジャック２０は、端末本体１２の筐体内部に、ジャック本体２１に形成されたジャック孔２２の挿嵌側開口２２ｉをこのプラグ挿嵌口１４に適合させて、ジャック孔２２の孔軸を、端末本体１２の高さ方向に対して傾斜させずに、端末本体１２の高さ方向に沿って延びるようにして配設されている。
【００５１】
そのため、本実施の形態では、ジャック本体覗き口２４及びジャック点検口１５は、前記ジャック孔の軸方向と交差する方向に沿って並んで重なり、端末本体１２の背面に、図４(ａ)，(ｃ)，(ｄ)において点線で示すようにして配設されている。
【００５２】
これにより、端末本体１２の外部から、ジャック点検口１５及びジャック本体覗き口２４（本体溝開口２１ｏ）を介して、直状細棒部材を、孔軸の長さ方向に係り挿嵌側開口２２ｉとは反対側の非挿嵌側開口２２ｏ側からジャック孔２２内に挿入することができるようになっている。
【００５３】
したがって、ジャック孔２２に取り残された折損したジャックカバー１４０の挿嵌部１４１に取り出し用具の端部を押し当てて取り出す際、例えば、ジャック本体覗き口２４及びジャック点検口１５を介して、ジャック孔２２内に取り残されてしまったジャックカバー１４０の挿嵌部１４１周面のカバー抜け防止部１４５等の縮径部分に対して取り出し用具の端部を係合させ、取り出し用具をジャック点検口１５及びジャック本体覗き口２４の延設方向に沿って移動させることができる。
【００５４】
また、図２(ｅ)，(ｆ)で示すようなジャック本体覗き口２４（本体溝開口２１ｏ）を有するジャック本体２１を備えたジャック２０であれば、ジャック点検口１５をさらにジャックカバー１４０の挿嵌部１４１の先端を眺めることが可能に配設することも可能になり、取り出し用具の端部の側面を折損したジャックカバー１４０の挿嵌部１４１の先端に押し当てて折損したジャックカバー１４０を移動させることができる。
【００５５】
これにより、従来のプラグ挿嵌口１４を介して、ジャック孔２２内に取り残されたジャックカバー１４０の挿嵌部１４１を引き出す場合よりも容易に、ジャック点検口１５及びジャック本体覗き口２４を介して、挿嵌部１４１に押し出し方向の力を作用させてジャック孔２２内から取り出すことができる。その際も、プラグ３０の着脱側であるジャック孔２２の挿嵌側開口２２ｉから取り出すことができるので、ジャック２０のプラグ保持部を兼ねた導電リード等を損傷させてしまうことも防げる。
【００５６】
さらに、ジャック点検口１５及びジャック本体覗き口２４を介して、取り出し用具の端部を取り残されたジャックカバー１４０の挿嵌部１４１に係合させて移動させる際も、ジャック点検口１５及び本体溝開口２１ｏがジャック孔２２の孔軸方向に沿って所定長さを確保され、直状細棒部材からなる取り出し用具の案内ガイドになるので、挿嵌部１４１の移動作業も容易かつ確実に行える。
【００５７】
また、ジャック点検口１５及びジャック本体覗き口２４が、前記ジャック孔の軸方向と交差する方向に沿って並んで重なり、端末本体１２の適宜筐体面（例えば、図示の例では、端末本体１２の背面筐体面）に設けられるだけなので、スマートフォン１１の、操作表示部１３を中心に据えた薄型小形直方体形状の端末本体デザインも損なわないようになっている。
【００５８】
加えて、ジャック孔２２は、プラグ挿嵌口１４とジャック本体覗き口２４及びジャック点検口１５とによって複数開放となっているので、ユーザがジャック２０の非使用時にジャックカバー１４０の装着を忘れてしまったような場合であっても、ジャック本体覗き口２４及びジャック点検口１５、又はプラグ挿嵌口１４からのエアーブローによってジャック孔２２内に溜ってしまった塵埃を取り除くことも可能になる。
【００５９】
この結果、音声信号等を外部入力又は外部出力するためのプラグ３０が着脱自在に接続されるジャック２０を備えた携帯端末１０としてのスマートフォン１１のメンテナンス性を向上させることができる。
【００６０】
＜第４の実施の形態＞
図５は、本発明に係る携帯端末の第４の実施の形態としての、多極ジャックを備えたスマートフォンの構成図である。図５ (ａ)は本実施の形態に係るスマートフォンの正面図、図５(ｂ)は右側面図、図５(ｃ)は左側面図、図５(ｄ)は背面図、図５(ｅ)は平面図、図５(ｆ)は底面図をそれぞれ示す。
【００６１】
図６は、図５に示したスマートフォンのジャックメンテナンス時の説明図である。図６(ａ)はスマートフォンのジャックメンテナンス時の正面から眺めた形態を、図６(ｄ)は背面から眺めた形態を、図６(ｅ)は平面から眺めた形態を、図６(ｆ)は底面から眺めた形態をそれぞれ示す。
【００６２】
本実施の形態に係る携帯端末１０としてのスマートフォン１１は、図１に示した第１の実施の形態のスマートフォン１１のように、操作表示部１３を中心に据えた薄型小形直方体形状の端末本体デザインを保ちながら、ジャック孔２２に取り残された折損したジャックカバー１４０の挿嵌部１４１に取り出し用具の端部を押し当てて取り出す際を含む、ジャック２０のメンテナンス時には、図３に示した第１の実施の形態のスマートフォン１１のように、操作表示部１３が配置された本体主部１２ａに対し、ジャック本体２１が配設されたジャック設置部１２ｂが端末本体１２の幅方向に突出するようにしたものである。
【００６３】
図５に示すように、本実施の形態に係る携帯端末１０では、薄型小形直方体形状の端末本体１２において、ジャック設置部１２ｂの筐体部が本体主部１２ａの筐体部に対して図示省略した可動・係止機構を介してスライド変位自在に取り付けられている。その上で、図２に示したジャック２０の各信号引出端子２３（２３ｔ，２３ｒ，２３ｓ）は、可撓若しくは伸縮可能な配線を介して、本体主部１２ａの筐体部内の図示せぬ回路基板に信号接続された構成になっている。
【００６４】
図５は、ジャック設置部１２ｂの筐体部が本体主部１２ａの筐体部に対して近接変位した状態に係止・保持され、端末本体１２が薄型小形直方体形状になっている常態の携帯端末１０を示している。
【００６５】
これに対し、図６は、ジャック設置部１２ｂの筐体部が本体主部１２ａの筐体部に対して離間変位した状態に係止・保持され、ジャック２０のメンテナンス時の、ジャック設置部１２ｂが端末本体１２の幅方向に突出し、ジャック２０のジャック本体覗き口２４（ジャック孔２２の挿嵌側開口２２ｉとは反対側の非挿嵌側開口２２ｏ）及びジャック点検口１５が外部に対して臨んだ携帯端末１０を示している。
【００６６】
これにより、常態では、端末本体１２は薄型小形直方体形状になっているので、その取扱いは、図９に示した、操作表示部１３を中心に据えた薄型小形直方体形状の従来のスマートフォン１１０と変わらない。
【００６７】
その一方で、ジャック孔２２に取り残された折損したジャックカバー１４０の挿嵌部１４１を取り出す場合等のジャック２０のメンテナンス時には、ジャック設置部１２ｂの筐体部を本体主部１２ａの筐体部に対して突出させて、ジャック２０のジャック本体覗き口２４，ジャック点検口１５が外部に臨ませることにより、図３に示した第２の実施の形態に係るスマートフォン１０の場合と同様な作用・効果を奏する。
【００６８】
＜第５の実施の形態＞
図７は、本発明に係る携帯端末の第５の実施の形態としての、多極ジャックを備えたスマートフォンの構成図である。図７(ａ)は本実施の形態に係るスマートフォンの正面図、図７(ｄ)は背面図、図７(ｅ)は平面図、図７(ｆ)は底面図をそれぞれ示す。
【００６９】
図８は、図７に示したスマートフォンのさらなる利用方法の説明図である。図８(ｄ-１)，(ｄ-２)はスマートフォンを背面から眺めた形態を、図８ (ｅ-１)，(ｅ-２)は平面から眺めた形態をそれぞれ示す。
【００７０】
図７に示すように、本実施の形態に係る携帯端末１０としてのスマートフォン１１は、薄型小形直方体形状の端末本体１２が、ジャック設置部１２ｂの筐体部が本体主部１２ａの筐体部に対して図示省略した係脱・保持機構を介して着脱自在に取り付けられている。その上で、図２に示したジャック２０の各信号引出端子２３（２３ｔ，２３ｒ，２３ｓ）は、本体主部１２ａの筐体部とジャック設置部１２ｂの筐体部とのそれぞれ係合当接面１２ａ１、１２ｂ１に、互いに対向させて設けた導電接続片１２ａ２、１２ｂ２同士が、係脱・保持機構による両者の結合保持時（常態に対応）に当接することにより、本体主部１２ａの筐体部内の図示せぬ回路基板に信号接続される構成になっている。
【００７１】
これにより、常態では、端末本体１２は薄型小形直方体形状になっているので、その取扱いは、図９に示した、操作表示部１３を中心に据えた薄型小形直方体形状の従来のスマートフォン１１０と変わらない。
【００７２】
その一方で、ジャック孔２２に取り残された折損したジャックカバー１４０の挿嵌部１４１を取り出す場合等のジャック２０のメンテナンス時には、ジャック設置部１２ｂの筐体部を本体主部１２ａの筐体部に対して取り外して、ジャック２０のジャック本体覗き口２４，ジャック点検口１５を外部に臨ませることにより、前述した実施の形態に係るスマートフォン１０の場合と同様な作用・効果を奏する。
【００７３】
なお、図示の例では、ジャック設置部１２ｂの筐体部を本体主部１２ａの筐体部に対して取り外すことによってジャック点検口１５とともに外部に臨むジャック本体覗き口２４として、ジャック孔２２の孔軸方向に開口した第１の覗き口２４ａ（図２参照）の場合を示したが、ジャック孔２２の孔軸と交差する方向に開口した第２の覗き口２４ｂ（図２参照、）であってもよく、第２の覗き口２４ｂが常態では隠蔽されるようにしてもよい。
【００７４】
加えて、本実施の形態に係る携帯端末１０の場合は、ジャック２０のメンテナンス時のためにジャック設置部１２ｂの筐体部が本体主部１２ａの筐体部に対して係脱・保持機構を介して着脱自在になっているので、ジャック設置部１２ｂの取り外し時には、その取り外された空間を利用して、本体主部１２ａの筐体部周辺に対する自由度が増す。そこで、図８に示したように、端末本体１２の薄型小形直方体形状の寸法の制約を受けたジャック設置部１２ｂに元々備えられているジャック２０に対応したサイズのプラグ（例えば、プラグ径3.5mmのプラグ）だけではなく、例えば、オーディオ専用ヘッドホンで採用されているプラグ（プラグ径6.3mmのプラグ）等の異なるサイズのプラグが利用できるジャック２０’を接続することも可能になり、スマートフォンのさらなる利用をはかることが可能になる。
【００７５】
以上、本発明に係る携帯端末の実施の形態について図面を基に説明したが、その具体的な形状・デザインや細部構成等は、上記説明した第１〜第５の実施の形態に限定されるものではなく、プラグ挿嵌口１４とは別の、ジャック本体覗き口２４及びジャック点検口１５を備えた携帯端末１０であるならば、その具体的な形状デザインや細部構成等については種々の設計変更が適用可能である。
【００７６】
すなわち、本発明に係る携帯端末は、ジャックにプラグを挿嵌接続するため、携帯端末の筐体に形成されたプラグ挿嵌口と、ジャックのジャック本体に形成されたジャック孔のプラグ挿嵌側開口からとは別に、ジャック孔内のプラグ挿嵌部分を覗くためにジャック本体に形成されたジャック本体覗き口と、プラグ挿嵌口とジャック孔のプラグ挿嵌側開口とを合致させて携帯端末の筐体内にジャック本体を配設した状態で、ジャック本体覗き口を外部から覗けるように携帯端末の筐体に形成されたジャック点検口とを備えているので、プラグ挿嵌口からジャックのジャック孔に挿嵌したジャックカバーが、掴持部を兼ねた装飾部の折損によって、挿嵌部の全部又は一部がジャック孔に挿嵌された状態のまま、ジャック孔内に取り残されてしまった場合であっても、ジャック本体覗き口及びジャック点検口を介して、ジャック孔内のプラグ挿嵌部分をプラグ挿嵌口からとは別方向から覗くことができる。
【００７７】
これにより、ジャック本体覗き口及びジャック点検口を介して、ジャック孔内に取り残されてしまったジャックカバーの挿嵌部をプラグ挿嵌口からとは別に観察することができ、また、ジャック孔内に取り残されたジャックカバーの挿嵌部に取り出し用具をプラグ挿嵌口とは別方向から作用させることができる。
【００７８】
また、ジャック本体覗き口及びジャック点検口は、ジャック孔の軸方向に沿って並んで設けられていたり、ジャック孔の軸方向と交差する方向に沿って並んで設けられている。
【００７９】
これにより、取り残されたジャックカバーの挿嵌部に、取り出し用具を使用して引き出し方向ではなく押し出し方向の力を作用させることが可能になり、従来のプラグ挿嵌口を介して取り出し用具により引き出す場合よりも容易にジャック孔内から取り出すことができ、ジャックの導電リード等を損傷させてしまうことも防げる。
【００８０】
また、ジャック本体覗き口及びジャック点検口をプラグ挿嵌口に対して奥部でジャック孔に連通する。
【００８１】
これにより、ユーザがジャックの非使用時にジャックカバーの装着を忘れてしまったような場合であっても、ジャック本体覗き口及びジャック点検口、又はプラグ挿嵌口からのエアーブローによってジャック孔内の塵埃を取り除くことも可能になる。
【００８２】
また、ジャック本体を配設し、ジャック本体覗き口及び前記ジャック点検口が形成された携帯端末の本体筐体部分は、タッチパネルを兼ねた表示画面からなる操作表示部が配置された携帯端末の本体筐体部分に対して変位可能又は着脱可能になっており、ジャック本体覗き口及び前記ジャック点検口が当該変位状態又は着脱状態に応じて露出又は隠蔽される。
【００８３】
これにより、常態では、ジャック本体覗き口及びジャック点検口を備えない既存の携帯端末と変わらずに取り扱える。
【００８４】
このように、本発明に係る携帯端末によれば、音声信号等を外部入力又は外部出力するためのプラグが着脱自在に接続されるジャックを備えた携帯端末のメンテナンス性を向上させることができる。
【符号の説明】
【００８５】
１０  携帯端末、  １１  スマートフォン、  １２  端末本体、  １２ａ  本体主部、
１２ｂ  ジャック設置部、  １３  操作表示部、  １４  プラグ挿嵌口、
１５  ジャック点検口、  １５ａ  テーパー状溝部、  １５ｂ  開口部、
２０  ジャック、  ２１  ジャック本体、  ２１ｏ  本体溝開口、
２２  ジャック孔、  ２２ｉ  挿嵌側開口、  ２２ｏ  非挿嵌側開口、
２３  信号引出端子、  ２４  ジャック本体覗き口、  ２４ａ  第１の覗き口、
２４ｂ  第２の覗き口、  ３０  プラグ、  ３１  プラグ挿嵌部、
３２  プラグ掴持部、  ３３  電極、  ３４  絶縁カラー、
３５  プラグ抜け防止部、  ３６  多芯ケーブル、
１１０  携帯端末、  １１１  スマートフォン、  １１２  端末本体、
１１３  操作表示部、  １１４  プラグ挿嵌口、  １２０  ジャック、
１２１  ジャック本体、  １２２  ジャック孔、  １３０  プラグ、
１３１  プラグ挿嵌部、  １３２  プラグ掴持部、  １３３  電極、
１３４  絶縁カラー、  １３５  プラグ抜け防止部、  １３６  多芯ケーブル、
１４０  ジャックカバー、  １４１  挿嵌部、  １４２  装飾部、
１４５  カバー抜け防止部。
【図１】
2015053559.tif 000003
【図２】
2015053559.tif 000004
【図３】
2015053559.tif 000005
【図４】
2015053559.tif 000006
【図５】
2015053559.tif 000007
【図６】
2015053559.tif 000008
【図７】
2015053559.tif 000009
【図８】
2015053559.tif 000010
【図９】
2015053559.tif 000011
【図１０】
2015053559.tif 000012
【図１１】
2015053559.tif 000013